(57)【要約】  本発明は、収納ケースを確実にロックすると共に無理なくロック解除して簡単に開くことができる収納ケースのロック構造に関するものである。収納ケースは開閉自在に連結された第１及び第２の収納体を備えている。収納ケースのロック構造は、第１及び第２の収納体にそれぞれ設けられた第１及び第２のロック部と、これに外嵌させる外嵌ロック部材とからなる。外嵌ロック部材は、これに係合片が内側から係合することで、第１及び第２のロック部に係止される。係合解除片を押圧することで係合片を押圧し、係合状態を解除する。
2008068861.tif 000002
【特許請求の範囲】
【請求項１】
一体に形成された弾性を有する連結部により開閉自在に連結され、互いに適合する開口部を嵌め合わせて閉じることにより内部に収納室を形成する第１及び第２の収納体を備える収納ケースであって、
該第１及び第２の収納体にそれぞれ設けられ且つ該第１及び第２の収納体を閉じることにより合体する第１及び第２のロック部と、
合体した該第１及び第２のロック部に外嵌させることにより合体状態を保持し、前記第１及び第２の収納体を閉じた状態にロックする外嵌ロック部材と
を備えることを特徴とする収納ケースのロック構造。
【請求項２】
前記合体した第１及び第２のロック部に外嵌した前記外嵌ロック部材には、前記第１及び第２のロック部の両方又は一方が係合することを特徴とする請求項１記載の収納ケースのロック構造。
【請求項３】
前記第１及び第２のロック部は弾性を有する係合片を有し、前記外嵌ロック部材を前記第１及び第２のロック部に外嵌させることにより前記外嵌ロック部材に設けられた係合部に前記係合片が係合して、前記外嵌ロック部材が前記第１および第２のロック部の両方又は一方に係止されることを特徴とする請求項２記載の収納ケースのロック構造。
【請求項４】
前記外嵌ロック部材は、弾性を有する係合解除片を有し、該係合解除片を押圧操作することにより、前記係合片と係合部との係合状態を解除して、前記外嵌ロック部材を前記第１及び第２のロック部から取り外し可能とすることを特徴とする請求項３記載の収納ケースのロック構造。
【請求項５】
前記第１及び第２のロック部には前記外嵌ロック部材の嵌合方向に線状突出部が設けられ、前記外嵌ロック部材には前記線状突出部に適合する溝が設けられ、前記線状突出部と溝が嵌合することにより、前記第１及び第２のロック部と外嵌ロック部材とを位置決めすることを特徴とする請求項１記載の収納ケースのロック構造。
【請求項６】
前記第１及び第２のロック部の一方は凹部を有し、前記第１及び第２のロック部の他方は前記凹部に嵌入して合体する外形を有することを特徴とする請求項１記載の収納ケースのロック構造。
【発明の詳細な説明】
【技術分野】
【０００１】
本発明は、ＳＤメモリーカード等の小型情報記録カードや薬等の小物を収納し且つ携帯し易くした収納ケースに感するものであり、特に、携帯時に開くことがないように確実にロックすることができる収納ケースのロック構造に関する。
【背景技術】
【０００２】
デジタルカメラ、携帯電話、ゲーム機等の携帯可能な小型電子機器には、ＳＤメモリーカード、ＩＣメモリーカード等のデータを保存する小型情報記録カード（以下「記録カード」という）を脱着するカードスロットが設けられているものがある。このカードスロットに記録カードを差し込むことで小型電子機器のデータを記録カードに記憶させたり、記録カードが記憶するデータを小型電子機器に取り込むことが可能となり、非常に多くのデータを記憶し、使用することができる。【０００３】
このような記録カードは、常時カードスロットに差し込んで使用することもあるが、各種データをそれぞれ異なる記録カードに記憶させて整理したり、記録カードのメモリ容量に応じて使い分けることもあり、記録カードを単体で携帯することも必要であった。この記録カードは、埃や水が侵入すると動作に支障をきたすことがあるため、密閉可能な容器に入れて携帯することが好ましい。そこで、従来、図１０に示すようなケースに記録カードを収めて携帯することが提案されていた。【０００４】
図１０に示すケースは、上部が開放された扁平箱状をなす上蓋２と、この上蓋２と略同形状をなす下蓋４と、これら上蓋２と下蓋４を連結する連結部５により構成されている。このケースにおいては、上蓋２の端部側壁の内面に突状部２ａを設け、これに対応する下蓋４の端部側壁に突状部２ａに係合するフック４ａを設けて、上蓋２と下蓋４を閉じたときにこのフック４ａが突状部２ａに係合することで閉状態を保つように構成されていた（例えば、特許文献１参照）。【０００５】
このように、ケースの上蓋２と下蓋４に設けた突状部２ａとフック４ａを係合させる構造においては、簡単にケースを閉めることができるが、開く場合には突状部２ａ及びフック４ａが設けられている部分を強く押圧したり、無理に上蓋２と下蓋４を引き離すことが必要であり、開けにくいという問題があった。このため、ケース全体に所定の弾性を持たせて外から押圧するだけでフック４ａが外れるように設定していた。しかしながら、このようなケースでは外からの衝撃で簡単に開いてしまい、携帯中にケースから記録カード３が脱落する危険があった。また、材質によっては、開閉を繰り返したり、周囲の温度が高くなると変形し、突状部２ａとフック４ａの位置にずれが生じて外れ易くなることもあった。
【特許文献１】実開平７−４０５７３号公報
【発明の開示】
【発明が解決しようとする課題】
【０００６】
本発明が解決しようとする課題は、上記従来技術の問題点を解決し、ケースが開かないように確実にロックすると共に無理なくロック解除して簡単に開くことができる収納ケースのロック構造を提供することにある。
【課題を解決するための手段】
【０００７】
本発明の収納ケースのロック構造は、一体に形成された弾性を有する連結部により開閉自在に連結され、互いに適合する開口部を嵌め合わせて閉じることにより内部に収納室を形成する第１及び第２の収納体を備える収納ケースであって、該第１及び第２の収納体にそれぞれ設けられ且つ該第１及び第２の収納体を閉じることにより合体する第１及び第２のロック部と、合体した該第１及び第２のロック部に外嵌させることにより合体状態を保持し、前記第１及び第２の収納体を閉じた状態にロックする外嵌ロック部材と、を備えている。この収納ケースのロック構造における前記合体した第１及び第２のロック部に外嵌した前記外嵌ロック部材には、前記第１及び第２のロック部の両方又は一方が係合する。【０００８】
また、前記第１及び第２のロック部の両方又は一方は弾性を有する係合片を有し、前記外嵌ロック部材を前記第１及び第２のロック部に外嵌させることにより前記外嵌ロック部材に設けられた係合部に前記係合片が係合して、前記外嵌ロック部材が前記第１および第２のロック部の両方又は一方に係止される。【０００９】
さらに、前記外嵌ロック部材は、弾性を有する係合解除片を有し、該係合解除片を押圧操作することにより、前記係合片と係合部との係合状態を解除して、前記外嵌ロック部材を前記第１及び第２のロック部から取り外し可能とする。
【発明の効果】
【００１０】
本発明の収納ケースのロック構造によれば、第１及び第２の収納体を閉じたときに合体する第１及び第２のロック部に、外嵌ロック部材を被せて外嵌させるだけで確実にロックすることができる。これにより、携帯時あるいは落下時に開いて、記録カードが飛び出し、破損することを確実に防ぐことができる。【００１１】
また、第１及び第２の収納体と第１及び第２のロック部は、互いに突き合わされるだけで係合又は係止することがないので、外嵌ロック部材を外すだけで、無理なく簡単に開くことができる。これにより、ケースに無理な力をかけて開閉する必要がなく、ケースの変形を防ぐことができる。【００１２】
さらに、第１及び第２のロック部の両方又は一方に設けられた係合片が外嵌ロック部材の内部で広がることにより係合し、それを外嵌ロック部材の係合解除片で押圧することにより係合解除することができる。このため、係合時には係合片の弾性により係合し、係合解除時には係合解除片により係合片をわずかに押圧するだけで係合解除しているので、ロック部分にも無理な力をかけることなくロック及びロック解除することができる。
【図面の簡単な説明】
【００１３】
【図１】本発明の一実施例に係る収納ケースのロック構造を示す斜視図である。
【図２】図１に示す収納ケースを閉じてロックした状態を示す正面図である。
【図３】図１に示す収納ケースをロック解除して開いた状態を示す正面図である。
【図４】図１に示す外嵌ロック部材の断面図である。
【図５】図４に示す外嵌ロック部材を第１及び第２のロック部に外嵌させた状態を示す部分断面図である。
【図６】図５に示す外嵌ロック部材と第１及び第２のロック部との係合状態を解除するときの状態を示す部分断面図である。
【図７】本発明における収納ケースを携帯電話のストラップに取り付けた状態を示す正面図である。
【図８】第１及び第２のロック部の構造を一部変更した例を示す斜視図である。
【図９】図８に示す第１及び第２のロック部を用いたロック構造の断面図である。
【図１０】従来の収納ケースの構造を示す斜視図である。
【発明を実施するための最良の形態】
【００１４】
本発明における収納ケースは、一体に形成された弾性を有する連結部により開閉自在に連結された第１及び第２の収納体を備えている。この第１及び第２の収納体は、互いに適合する開口部を有し、その開口部を嵌め合わせて閉じることにより内部に収納室を形成する。この収納ケースのロック構造は、第１及び第２の収納体にそれぞれ設けられた第１及び第２のロック部と、これに外嵌させる外嵌ロック部材とからなる。第１及び第２のロック部は、第１及び第２の収納体を閉じると合体する。また、外嵌ロック部材は、合体した第１及び第２のロック部に被せるように外嵌される。この外嵌ロック部材は、これに第１及び第２のロック部の両方又は一方に設けた係合片が内側から係合することで、第１及び第２のロック部に係止される。そして、外嵌ロック部材に設けられた係合解除片を外方から押圧することで第１及び第２のロック部の両方又は一方に設けた係合片を押圧し、第１及び第２のロック部と外嵌ロック部材との係合状態を解除することができる。【００１５】
以下、添付図面に基づいて、本発明に係る収納ケースのロック構造の実施形態を詳細に説明する。図１は本発明の一実施例に係る収納ケースのロック構造を示す斜視図、図２は図１に示す収納ケースを閉じてロックした状態を示す正面図、図３は図１に示す収納ケースをロック解除して開いた状態を示す正面図、図４は図１に示す外嵌ロック部材の断面図である。６はポリプロピレン等からなる収納ケースであり、第１の収納体８と、第２の収納体１０と、この第１及び第２の収納体８，１０の間に設けられた連結部１２とから構成されている。この第１及び第２の収納体８，１０は、箱を上下に分割したような一方に開口部８ａ，１０ａが設けられた箱状に形成され、それぞれの開口部８ａ，１０ａにＳＤメモリーカードやＩＣメモリーカード等の記録カード２０を収める収納室８ｅ，１０ｅを形成している。第１及び第２の収納体８，１０の開口部８ａ，１０ａは、互いに適合する形状を有し、開口部８ａには開口部１０ａの内側に嵌合するフランジ８ｂが形成されている。尚、本実施例における第２の収納体１０の底部１０ｃの外面には、図１に示すように、シール、写真等を貼付するための浅い凹部１０ｄが設けられている。連結部１２は、第１及び第２の収納体８，１０のそれぞれの一端部を連結するように一体形成により架設されている。本実施例における連結部１２は、図３に示すように、第１及び第２の収納体８，１０よりも幅が狭く且つ厚みも薄く形成されており、繰り返し屈曲可能な弾性を有するよう樹脂ヒンジ構造で設定されている。【００１６】
１４，１６は第１及び第２の収納体８，１０にそれぞれ設けられた平面が略矢印形状をなす第１及び第２のロック部である。この第１及び第２のロック部１４，１６は、第１及び第２の収納体８，１０の連結部１２により連結されている端部の反対側の端部から外方に突出するように形成されている。また、この第１及び第２のロック部１４，１６は、同一の板形状をなすロック部本体１４ａ，１６ａと、このロック部本体１４ａ，１６ａの先端からその左右側方に突出し且つわずかに広がるように根元方向に向かって屈曲延伸すると共にロック部本体１４ａ，１６ａとの間に所定の間隔をあけて幅方向に弾性を有するように形成された各一対の係合片１４ｂ，１６ｂと、を備えている。また、この係合片１４ｂ，１６ｂの先端には、外側角部を切り欠くことにより形成された段部１４ｃ，１６ｃが設けられている。また、ロック部本体１４ａ，１６ａの外面（合体時に対向する面の反対側の面）に先端から根元付近に線状突出部１６ｄ（図示していないが、これと同一のものがロック部本体１４ａにも形成されている）が形成されている。上記構成からなる第１及び第２のロック部１４，１６は、第１及び第２の収納体８，１０を閉じることにより一枚の板状に合体するように位置付けられている。【００１７】
１８は合体した第１及び第２のロック部１４，１６に被せて外嵌させることにより第１及び第２の収納体８，１０を閉じた状態にロックする外嵌ロック部材である。この外嵌ロック部材１８は、略箱状をなし、第１及び第２のロック部１４，１６に外嵌させる方向に開口部１８ａを有している。この開口部１８ａは、略矩形をなし、その縦の寸法が合体した第１及び第２のロック部１４，１６の総厚に適合するように設定され、横の寸法が第１及び第２のロック部１４，１６の横幅よりわずかに狭くなるように設定されている。この外嵌ロック部材１８の開口部１８ａ付近の内部には、係合片１４ｂ，１６ｂの段部１４ｃ，１６ｃが内側から係合する段状の係合部１８ｃが設けられている。また、外嵌ロック部材１８の左右側壁部分には、腕状をなし、その解放された先端が係合部１８ｃ付近に位置する係合解除片１８ｂが設けられている。この係合解除片１８ｂは、外嵌ロック部材１８の内外方向に弾性を有し、その先端の内面には突起１８ｄが設けられている。また、この外嵌ロック部材１８の正面及び背面の内側の面には、第１及び第２のロック部１４，１６の線状突出部１６ｄに適合する溝１８ｅが、開口部１８ａから内部に向かってそれぞれ形成されている。更に、外嵌ロック部材１８の内部には、第１及び第２のロック部１４，１６に外嵌させたときにガタが生じないように、係合位置に達した第１及び第２のロック部１４，１６の先端がわずかに接触する位置決め用の突出壁１８ｆが設けられている。【００１８】
次に、上記構成からなる収納ケースのロック構造によるロック及びロック解除の状態を説明する。図１及び図３に示すように、収納ケース６は、外嵌ロック部材１８が外れていると開閉自在な状態にあり、この状態において収納体８，１０の各収納室８ｅ，１０ｅに記録カード２０を収めて、第１及び第２の収納体８，１０を閉じることで記録カード２０を収容する。このように第１及び第２の収納体８，１０を閉じると、第１及び第２のロック部１４，１６が重なって合体する。ここで外嵌ロック部材１８を合体した第１及び第２のロック部１４，１６に被せると、係合片１４ｂ，１６ｂはわずかに内方（ロック部本体１４ａ，１６ａの方向）に押し込まれながら外嵌ロック部材１８の開口部１８ａを通過する。このときに、線状突出部１６ｄが溝１８ｅに嵌合して溝内を摺動することで、第１及び第２のロック部１４，１６と外嵌ロック部材１８とが位置決めされ、スムーズに外嵌ロック部材１８を取り付けることができる。外嵌ロック部材１８の内部に入った係合片１４ｂ，１６ｂは、図５に示すように、その先端が外嵌ロック部材１８の係合部１８ｃに達すると広がってその段部１４ｃ，１６ｃが係合部１８ｃに係合する。このように、段部１４ｃ，１６ｃと係合部１８ｃが係合すると、第１及び第２のロック部１４，１６に外嵌ロック部材１８が係止して互いに引き抜くことができなくなり、外れなくなる。これにより、第１及び第２のロック部１４，１６は外嵌ロック部材１８により合体した状態に保持され、第１及び第２の収納体８，１０を閉状態にロックすることになる。【００１９】
図５に示すように、係合片１４ｂ，１６ｂの段部１４ｃ，１６ｃと係合部１８ｃが係合した状態にあるときに、図６に示すように、外嵌ロック部材１８の一対の係合解除片１８ｂを同時に指先で内方に押し込むと、その突起１８ｄが第１及び第２のロック部１４，１６の係合片１４ｂ，１６ｂに当接してこれを内方に押し込む。係合片１４ｂ，１６ｂが内方に押し込まれると、その先端の段部１４ｃ，１６ｃと外嵌ロック部材１８の段状の係合部１８ｃとの係合状態が解除され、係合片１４ｂ，１６ｂは再び開口部１８ａを通過することができる状態になる。ここで外嵌ロック部材１８を引き離すと、第１及び第２のロック部１４，１６は外嵌ロック部材１８の開口部１８ａから抜けてロック解除状態になる。これにより、第１及び第２の収納体８，１０は、再び自在に開閉することができるようになり、内部に収めた記録カード２０を取り出すことができるようになる。なお、上記の収納ケース６は第１及び第２の収納体８，１０のそれぞれに記録カード２０などを収める収納室８ｅ，１０ｅを形成したが、一方の収納体のみに深めの収納室を形成し、他方の収納体は蓋体として形成してもよい。【００２０】
上記のように、本発明の収納ケース６のロック構造においては、外嵌ロック部材１８を第１及び第２のロック部１４，１６から外さなければロックが解除されず、また、外嵌ロック部材１８を外すには一対の係合解除片１８ｂを意識的に同時に押圧することが必要であるため、落下や単なる衝撃でロック解除されることがない。このため、図７に示すように、外部からの衝撃を受け易い携帯電話２１やゲーム機のストラップ２２等に吊り下げても、収納物を確実に保護、収納することができる。尚、外嵌ロック部材１８の先端に孔１８ｇを設けることで、係合解除片１８ｂの操作性に影響を与えることなく、吊り下げるためのヒモや鎖を取り付けることができる。【００２１】
上記実施例における第１及び第２のロック部１４，１６は、同一形状をなし、第１及び第２のロック部１４，１６両方が外嵌ロック部材１８の係合部１８ｃに係合するものであるが、必ずしもこのように構成しなくても収納ケース６をロックすることができる。例えば、第１のロック部１４の構造を変えず、第２のロック部１６の形状を合体可能な異なる形状及び構造にすると共に、第１のロック部１４だけが外嵌ロック部材１８の係合部１８ｃに係合するように構成しても、収納ケース６をロックすることが可能である。即ち、図８に示すように、第１のロック部１４は、第１の収納体８の端部から突出する板形状のロック部本体１４ａと、このロック部本体１４ａの先端から左右側方及び根元方向に突出屈曲する一対の係合片１４ｂとを備えており、図１に示す第１のロック部１４と同様の基本的構造を備えている。また、第２のロック部１７は、第２の収納体１０の端部から突出する略板形状のロック部本体１７ａからなるものであることを基本的構造としている。【００２２】
また、図８に示す第１及び第２のロック部１４，１７は、第１及び第２の収納体８，１０を閉じることにより合体したときの位置精度及び強度を高めるため、次のように構成されている。第１のロック部１４は、図９に示すように、外嵌ロック部材１８の開口部１８ａの縦の寸法に適合する厚みに設定され、そのロック部本体１４ａの中央に凹部１４ｅを有している。一方、第２のロック部１７のロック部本体１７ａは、第１のロック部１４のロック部本体１４ａよりも突出する丈が短く且つ幅も狭く形成されており、図９に示すように、第１のロック部１４の凹部１４ｅに適合する外形形状に設定されている。第１及び第２のロック部１４，１７が合体するときに、ロック部本体１４ａが凹部１４ｅに嵌入し、図中の上下左右方向に関する位置決めをより確実なものにしている。【００２３】
このように合体した第１及び第２のロック部１４，１７に外嵌ロック部材１８を外嵌させると、第１及び第２のロック部１４，１７の合体状態が保持されて、第１及び第２の収納体８，１０はロックされて開くことができなくなる。このときに、図１に示す第１のロック部１４と同様に、図８及び図９に示す第１のロック部１４の係合片１４ｂは外嵌ロック部材１８の内部で広がって、その先端にある段部１４ｃが係合部１８ｃに係合する。また、外嵌ロック部材１８の係合解除片１８ｂを内方に押し込むと、この係合解除片１８ｂにより係合片１４ｂが内方に押し込まれて、段部１４ｃと係合部１８ｃとの係合を解除して、外嵌ロック部材１８を取り外すことが可能となる。【００２４】
尚、図８及び図９に示すように、第２のロック部１７のロック部本体１７ａの先端には、対面する第１のロック部１４の方向に突出する突出部１７ｆが設けられており、第１のロック部１４の凹部１４ｅ内には、突出部１７ｆに適合する孔１４ｆが設けられている。この突出部１７ｆを孔１４ｆに嵌入することで、第１及び第２のロック部１４，１７相互の位置決めを更に確実なものにしている。【００２５】
また、この第２のロック部１７にも、外嵌ロック部材１８の溝１８ｅに適合する線状突出部１７ｄを設けることで、外嵌ロック部材１８を外嵌し易くすることができる。
【産業上の利用可能性】
【００２６】
本発明の収納ケースのロック構造は、開閉可能な収納ケースであればどのような収納ケースにも設けることができる。従って、収納ケースの形状を自由に変更することが可能であり、キャラクタ、動物、車等の形状にすることが可能であり、ストラップの装飾として使用することも可能である。
【符号の説明】
【００２７】
６  収納ケース
８，１０  第１及び第２の収納体
８ａ，１０ａ  開口部
８ｂ  フランジ
１０ｃ  底部
１０ｄ  凹部
１４，１６      第１及び第２のロック部
１４ａ，１６ａ  ロック部本体
１４ｂ，１６ｂ  係合片
１４ｃ，１６ｃ  段部
１４ｅ  凹部
１４ｆ  孔
１６ｄ  線状突出部
１７    第２のロック部
１７ａ  ロック部本体
１７ｄ  線状突出部
１７ｆ  突出部
１８    外嵌ロック部材
１８ａ  開口部
１８ｂ  係合解除片
１８ｃ  係合部
１８ｄ  突起
１８ｅ  溝
１８ｆ  突出壁
１８ｇ  孔
【図１】
2008068861.tif 000003
【図２】
2008068861.tif 000004
【図３】
2008068861.tif 000005
【図４】
2008068861.tif 000006
【図５】
2008068861.tif 000007
【図６】
2008068861.tif 000008
【図７】
2008068861.tif 000009
【図８】
2008068861.tif 000010
【図９】
2008068861.tif 000011
【図１０】
2008068861.tif 000012
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
一体に形成された弾性を有する連結部により開閉自在に連結され、互いに適合する開口部を嵌め合わせて閉じることにより内部に収納室を形成する第１及び第２の収納体を備える収納ケースであって、
該第１及び第２の収納体にそれぞれ設けられ且つ該第１及び第２の収納体を閉じることにより合体する第１及び第２のロック部と、
合体した該第１及び第２のロック部に外嵌させることにより合体状態を保持し、前記第１及び第２の収納体を閉じた状態にロックする外嵌ロック部材とを備え、
該外嵌ロック部材は、弾性を有する係合解除片を有し、該係合解除片を押圧操作することにより、第１及び第２のロック部から取り外し可能となることを特徴とする収納ケースのロック構造。
【請求項２】
前記合体した第１及び第２のロック部に外嵌した前記外嵌ロック部材には、前記第１及び第２のロック部の両方又は一方が係合することを特徴とする請求項１記載の収納ケースのロック構造。
【請求項３】
前記第１及び第２のロック部は弾性を有する係合片を有し、前記外嵌ロック部材を前記第１及び第２のロック部に外嵌させることにより前記外嵌ロック部材に設けられた係合部に前記係合片が係合して、前記外嵌ロック部材が前記第１および第２のロック部の両方又は一方に係止されることを特徴とする請求項２記載の収納ケースのロック構造。
【請求項４】
前記外嵌ロック部材は、前記係合解除片を押圧操作することにより、前記係合片と係合部との係合状態を解除することを特徴とする請求項３記載の収納ケースのロック構造。
【請求項５】
前記第１及び第２のロック部には前記外嵌ロック部材の嵌合方向に線状突出部が設けられ、前記外嵌ロック部材には前記線状突出部に適合する溝が設けられ、前記線状突出部と溝が嵌合することにより、前記第１及び第２のロック部と外嵌ロック部材とを位置決めすることを特徴とする請求項１記載の収納ケースのロック構造。
【請求項６】
前記第１及び第２のロック部の一方は凹部を有し、前記第１及び第２のロック部の他方は前記凹部に嵌入して合体する外形を有することを特徴とする請求項１記載の収納ケースのロック構造。
【手続補正２】
【補正対象書類名】明細書
【補正対象項目名】０００７
【補正方法】変更
【補正の内容】
【０００７】
本発明の収納ケースのロック構造は、一体に形成された弾性を有する連結部により開閉自在に連結され、互いに適合する開口部を嵌め合わせて閉じることにより内部に収納室を形成する第１及び第２の収納体を備える収納ケースであって、該第１及び第２の収納体にそれぞれ設けられ且つ該第１及び第２の収納体を閉じることにより合体する第１及び第２のロック部と、合体した該第１及び第２のロック部に外嵌させることにより合体状態を保持し、前記第１及び第２の収納体を閉じた状態にロックする外嵌ロック部材とを備え、該外嵌ロック部材は、弾性を有する係合解除片を有し、該係合解除片を押圧操作することにより、第１及び第２のロック部から取り外し可能となる。この収納ケースのロック構造における前記合体した第１及び第２のロック部に外嵌した前記外嵌ロック部材には、前記第１及び第２のロック部の両方又は一方が係合する。
【手続補正３】
【補正対象書類名】明細書
【補正対象項目名】０００９
【補正方法】変更
【補正の内容】
【０００９】
さらに、前記外嵌ロック部材は、該係合解除片を押圧操作することにより、前記係合片と係合部との係合状態を解除する。
【国際調査報告】
2008068861.tif 000013
2008068861.tif 000014
2008068861.tif 000015
2008068861.tif 000016
2008068861.tif 000017
2008068861.tif 000018
2008068861.tif 000019